【手続補正書】
【提出日】平成28年9月7日(2016.9.7)
【手続補正１】
【補正対象書類名】特許請求の範囲
【補正対象項目名】全文
【補正方法】変更
【補正の内容】
【特許請求の範囲】
【請求項１】
複数のワイヤレスデバイスに物理レイヤパケットを送信する方法であって、
第1の信号フィールドを含むように物理レイヤパケットを生成するステップであって、第1のペイロードが前記第1の信号フィールドの後に続き、第1のチャネル推定トレーニングフィールドが前記第1のペイロードの後に続き、第2の信号フィールドが前記第1のチャネル推定トレーニングフィールドの後に続き、第2のペイロードが前記第2の信号フィールドの後に続き、前記ペイロードのうちの少なくとも1つが、第1のデバイスにアドレス指定された第1のデータと、第2のデバイスにアドレス指定された第2のデータとを含む、生成するステップと、
前記物理レイヤパケットを送信するステップと
を含む方法。
【請求項２】
前記物理レイヤパケットが、前記第1のチャネル推定トレーニングフィールドと前記第2の信号フィールドとの間に第2のチャネル推定トレーニングフィールドを含むように生成される、請求項1に記載の方法。
【請求項３】
前記第1の信号フィールド内の送信スケジュールを示すステップをさらに含み、前記送信スケジュールが、前記第1のデータを含む前記第1のペイロードの第1の部分と前記第2のデータを含む前記第1のペイロードの第2の部分とを示す、請求項1に記載の方法。
【請求項４】
前記第1の信号フィールドの持続時間フィールド内で前記送信スケジュールを示すステップをさらに含む、請求項3に記載の方法。
【請求項５】
前記第1のペイロードの送信モードが、シングルユーザ送信、マルチユーザ多入力多出力送信(MU-MIMO)送信または直交周波数分割多元接続(OFDMA)送信のうちのいずれであるかを決定するステップと、前記決定された送信モードを示すために前記第1の信号フィールドを生成するステップとをさらに含む、請求項1に記載の方法。
【請求項６】
前記第1のデータを含む第1のサブ帯域を含むように前記第1のペイロードを生成するステップと、
第3のデータと第4のデータとを含む第2のサブ帯域を含むように前記第1のペイロードを生成するステップであって、第3のデータと第4のデータとが異なるデバイスにアドレス指定される、生成するステップと、
OFDMAを介した前記第1および前記第2のサブ帯域を使用して前記第1のペイロードを送信するステップと
をさらに含む、請求項5に記載の方法。
【請求項７】
シグネチャによって、前記第2のサブ帯域内で時間的に第3のデータと第4のデータとの前記送信を分離するステップをさらに含む、請求項6に記載の方法。
【請求項８】
第3のデータのための宛先デバイスの変調およびコーディング方式(MCS)と第4のデータの宛先デバイスのための変調およびコーディング方式(MCS)とに基づいて第3のデータと第4のデータとの前記送信を順序付けるステップをさらに含む、請求項6に記載の方法。
【請求項９】
複数のワイヤレスデバイスに物理レイヤパケットを送信するための装置であって、
物理レイヤパケットを生成することを行うように構成されたプロセッサであって、前記パケットが第1の信号フィールドを含み、第1のペイロードが前記第1の信号フィールドの後に続き、第1のチャネル推定トレーニングフィールドが前記第1のペイロードの後に続き、第2の信号フィールドが前記第1のチャネル推定トレーニングフィールドの後に続き、第2のペイロードが前記第2の信号フィールドの後に続き、前記ペイロードのうちの少なくとも1つが、第1のデバイスにアドレス指定された第1のデータと、第2のデバイスにアドレス指定された第2のデータとを含む、プロセッサと、
前記物理レイヤパケットを送信することを行うように構成された送信機と
を含む、装置。
【請求項１０】
前記プロセッサが、前記第1のチャネル推定トレーニングフィールドと前記第2の信号フィールドとの間に第2のチャネル推定トレーニングフィールドを含むように前記物理レイヤパケットを生成することを行うようにさらに構成された、請求項9に記載の装置。
【請求項１１】
前記プロセッサが、前記第1の信号フィールド内の送信スケジュールを示すように前記物理レイヤパケットを生成することを行うようにさらに構成され、前記送信スケジュールが、前記第1のデータを含む前記第1のペイロードの第1の部分と前記第2のデータを含む前記第1のペイロードの第2の部分とを示す、請求項9に記載の装置。
【請求項１２】
前記プロセッサが、前記複数のペイロードに先行した信号フィールドの持続時間フィールド内で前記送信スケジュールを示すことを行うようにさらに構成された、請求項11に記載の装置。
【請求項１３】
前記プロセッサは、
前記第1のペイロードの送信モードが、シングルユーザ送信、マルチユーザ多入力多出力送信(MU-MIMO)送信または直交周波数分割多元接続(OFDMA)送信のうちのいずれであるかを決定し、
前記第1のペイロードが前記送信モードを使用して送信されることを示すために、前記複数のペイロードのうちの第1のペイロードに先行した信号フィールドを含むように前記物理レイヤパケットを生成することを行うようにさらに構成された、請求項9に記載の装置。
【請求項１４】
前記プロセッサが、
前記第1のデータを含む第1のサブ帯域を含むように前記第1のペイロードを生成することと、
第3のデータと第4のデータとを含む第2のサブ帯域を含むように前記第1のペイロードを生成することであって、第3のデータと第4のデータとが異なるデバイスにアドレス指定される、生成することとを行うようにさらに構成され、
前記送信機が、OFDMAを介した前記第1および前記第2のサブ帯域を使用して前記第1のペイロードを送信することを行うようにさらに構成された、
請求項13に記載の装置。
【請求項１５】
前記プロセッサが、第3のデータの宛先デバイスの変調およびコーディング方式(MCS)と第4のデータの宛先デバイスの変調およびコーディング方式(MCS)とに基づいて第3のデータと第4のデータとの前記送信を順序付けることを行うようにさらに構成された、請求項14に記載の装置。
【請求項１６】
ワイヤレスネットワークから高効率物理データパケットを受信するための方法であって、
ワイヤレスネットワークから物理レイヤパケットを受信するステップと、
第1の信号フィールドを識別するために前記物理レイヤパケットを復号するステップと、
前記物理レイヤパケットから第1のペイロードを識別するために前記第1の信号フィールドを復号するステップであって、前記第1のペイロードが、第1のデバイスにアドレス指定された第1のデータと、第2のデバイスにアドレス指定された第2のデータとを含む、復号するステップと、
前記第1のペイロードに続く第2の信号フィールドを識別するために前記物理レイヤパケットを復号するステップと、
第2のペイロードを識別するために前記第2の信号フィールドを復号するステップであって、前記第2のペイロードが、前記第1のデバイス、前記第2のデバイス、または第3のデバイスのうちの少なくとも1つにアドレス指定された第3のデータを含む、復号するステップと
を含む方法。
【請求項１７】
前記物理レイヤパケット内で前記第1のペイロードと前記第2のペイロードとを分離するシグネチャを識別するために前記物理レイヤパケットを復号するステップであって、ショートチャネル推定トレーニングフィールドと、ロングチャネル推定トレーニングフィールドと、信号フィールドとのうちの1つまたは複数を含む前記シグネチャに基づく、復号するステップと、
前記識別されたシグネチャに基づいて前記第2のペイロードを復号するステップと
をさらに含む、請求項16に記載の方法。
【請求項１８】
前記第1のデータを含む前記第1のペイロードの第1の部分と前記第2のデータを含む前記第1のペイロードの第2の部分とを示す前記第1の信号フィールド内の送信スケジュールを判断するために前記第1の信号フィールドを復号するステップをさらに含む、請求項16に記載の方法。
【請求項１９】
ペイロードのための前記送信スケジュールを判断するために前記第1の信号フィールド内の持続時間フィールドを復号するステップをさらに含む、請求項18に記載の方法。
【請求項２０】
ペイロードが、シングルユーザ送信、マルチユーザ多入力多出力送信(MU-MIMO)送信または直交周波数分割多元接続(OFDMA)送信を介して受信されるかどうかを判断するために、前記ペイロードに先行した信号フィールドを復号するステップをさらに含む、請求項16に記載の方法。
【請求項２１】
OFDMAを介して前記第1のペイロードを受信するステップと、第3のデータと第4のデータとが異なるデバイスにアドレス指定されると判断するために前記OFDMAのペイロードのサブ帯域を復号するステップとをさらに含む、請求項16に記載の方法。
【請求項２２】
グループ識別子に基づいて前記サブ帯域内のデータを復号するステップをさらに含む、請求項21に記載の方法。
【請求項２３】
前記少なくとも2つの異なるデバイスに送信されるデータを含む前記ペイロード内の周波数サブ帯域の数の指示を判断するために、前記ペイロードに先行した信号フィールドを復号するステップをさらに含む、請求項21に記載の方法。
【請求項２４】
ワイヤレスネットワークから高効率物理データパケットを受信するための装置であって、
ワイヤレスネットワークから物理レイヤパケットを受信することを行うように構成された受信機と、
プロセッサであって、
第1の信号フィールドを識別するために前記物理レイヤパケットを復号することと、
前記物理レイヤパケットから第1のペイロードを識別するために前記第1の信号フィールドを復号することであって、前記第1のペイロードが、第1のデバイスにアドレス指定された第1のデータと、第2のデバイスにアドレス指定された第2のデータとを含む、復号することと、
前記第1のペイロードに続く第2の信号フィールドを識別するために前記物理レイヤパケットを復号することと、
第2のペイロードを識別するために前記第2の信号フィールドを復号することであって、前記第2のペイロードが、前記第1のデバイス、前記第2のデバイス、または第3のデバイスのうちの少なくとも1つにアドレス指定された第3のデータを含む、復号することと
を行うように構成されたプロセッサと
を含む装置。
【請求項２５】
前記プロセッサが、
前記物理レイヤパケット内で前記第1のペイロードと前記第2のペイロードとを分離するシグネチャを識別するために前記パケットを復号することであって、ショートチャネル推定トレーニングフィールドと、ロングチャネル推定トレーニングフィールドと、信号フィールドとのうちの1つまたは複数を含む前記シグネチャに基づく、復号することと、
前記識別されたシグネチャに基づいて前記第2のペイロードを復号することと
を行うようにさらに構成された、請求項24に記載の装置。
【請求項２６】
前記プロセッサが、前記第1のデータを含む前記第1のペイロードの第1の部分と前記第2のデータを含む前記第1のペイロードの第2の部分とを示す前記第1の信号フィールド内の送信スケジュールを判断するために前記第1の信号フィールドを復号することを行うようにさらに構成された、請求項24に記載の装置。
【請求項２７】
前記プロセッサが、ペイロードのための前記送信スケジュールを判断するために前記第1の信号フィールド内の持続時間フィールドを復号することを行うようにさらに構成された、請求項26に記載の装置。
【請求項２８】
前記プロセッサは、ペイロードが、シングルユーザ送信、マルチユーザ多入力多出力送信(MU-MIMO)送信または直交周波数分割多元接続(OFDMA)送信を介して受信されるかどうかを判断するために、前記ペイロードに先行した信号フィールドを復号することを行うようにさらに構成された、請求項24に記載の装置。
【請求項２９】
前記プロセッサが、OFDMAを介して前記第1のペイロードを受信することと、前記装置にアドレス指定された前記第1のペイロードのOFDMAのサブ帯域内のデータの一部分を識別することとを行うようにさらに構成された、請求項24に記載の装置。
【請求項３０】
前記プロセッサが、グループ識別子に基づいて前記サブ帯域内のデータを復号することを行うようにさらに構成された、請求項29に記載の装置。